(57)【要約】【課題】配光分布の裾を急峻にしつつ、配光分布のピークを広い範囲で維持する。【解決手段】光度ＬＨ１と光度ＬＨ２の和は、光度Ｌ０１と光度Ｌ０２の和と実質的に等しく、具体的には、例えば、光度Ｌ０１と光度Ｌ０２の和の９５％以上１０５％以下（０．９５×（Ｌ０１＋Ｌ０２）≦ＬＨ１＋ＬＨ２≦１．０５×（Ｌ０１＋Ｌ０２））となっている。これにより、第１配光分布Ｄ１と第２配光分布Ｄ２の合成分布ＤＣは、第１方向Ｌ１と第３方向Ｌ３との間において、実質的に一定、具体的には、例えば、合成分布ＤＣの最大値の９５％以上の範囲内にある。【選択図】図６
2018022575.tif 000002
【特許請求の範囲】
【請求項１】
第１共振器を有する第１発光部と、
第２共振器を有する第２発光部と、
を備え、
前記第１発光部の第１配光分布と前記第２発光部の第１配光分布の合成分布は、前記第１発光部又は前記第２発光部の厚さ方向に沿った基準方向と前記基準方向から１５°傾いた方向との間において、前記合成分布の最大値の９５％以上の範囲内にある発光装置。
【請求項２】
請求項１に記載の発光装置において、
第１面を有する第１基板を備え、
前記第１発光部及び前記第２発光部は、前記第１基板の前記第１面上に位置している発光装置。
【請求項３】
請求項１に記載の発光装置において、
第１面を有する第１基板と、
第１面を有する第２基板と、
を備え、
前記第１発光部は、前記第１基板の前記第１面上に位置しており、
前記第２発光部は、前記第１基板の前記第１面上に位置しており、
前記第２発光部は、前記第１発光部と重なっていない発光装置。
【請求項４】
請求項３に記載の発光装置において、
前記第１基板は、前記第１発光部と重ならない透光部を有し、
前記第２発光部は、前記透光部と重なっている発光装置。
【請求項５】
透光性を有する基材と、
前記基材に取り付けられた発光装置と、
を備え、
前記発光装置は、
第１共振器を有する第１発光部と、
第２共振器を有する第２発光部と、
を備え、
前記第１発光部の第１配光分布と前記第２発光部の第１配光分布の合成分布は、前記第１発光部又は前記第２発光部の厚さ方向に沿った基準方向と前記基準方向から１５°傾いた方向との間において、前記合成分布の最大値の９５％以上の範囲内にある発光システム。
【請求項６】
ボディと、
前記ボディに取り付けられ、透光性を有する基材と、
前記基材に取り付けられた発光装置と、
を備え、
前記発光装置は、
第１共振器を有する第１発光部と、
第２共振器を有する第２発光部と、
を備え、
前記第１発光部の第１配光分布と前記第２発光部の第１配光分布の合成分布は、前記第１発光部又は前記第２発光部の厚さ方向に沿った基準方向と前記基準方向から１５°傾いた方向との間において、前記合成分布の最大値の９５％以上の範囲内にある移動体。
【発明の詳細な説明】
【技術分野】
【０００１】
本発明は、発光装置、発光システム及び移動体に関する。
【背景技術】
【０００２】
近年、マイクロキャビティ構造を有する有機発光ダイオード（ＯＬＥＤ）が開発されている。このようなＯＬＥＤは、反射層、半透過反射層及び有機層を有している。有機層は、反射層と半透過反射層の間にあり、光を発する。有機層からの光は、反射層と半透過反射層の間で反射を繰り返し、光を強めて半透過反射層側から出射される。例えば、特許文献１に記載のＯＬＥＤは、マイクロキャビティによって出射された光を散乱させる散乱部材を備えている。特許文献１では、散乱部材によって散乱された光がＯＬＥＤから出射される。
【０００３】
さらに、近年、例えば特許文献２に記載されているように、一の発光部の第１配光分布と他の発光部の第２配光分布とを合成することがある。特許文献２においては、一の発光部の第１配光分布は、第１配光分布の中心方向に極大値を有しており、他の発光部の第２配光分布も、第２配光分布の中心方向に極大値を有している。
【先行技術文献】
【特許文献】
【０００４】
【特許文献１】特開２０００−２８４７２６号公報
【特許文献２】特開２００６−２９０１２２号公報
【発明の概要】
【発明が解決しようとする課題】
【０００５】
発光装置においては、配光分布の裾を急峻にしつつ、配光分布のピークを広い範囲で維持することが要請されることがある。
【０００６】
本発明が解決しようとする課題としては、配光分布の裾を急峻にしつつ、配光分布のピークを広い範囲で維持することが一例として挙げられる。
【課題を解決するための手段】
【０００７】
請求項１に記載の発明は、
第１共振器を有する第１発光部と、
第２共振器を有する第２発光部と、
を備え、
前記第１発光部の第１配光分布と前記第２発光部の第１配光分布の合成分布は、前記第１発光部又は前記第２発光部の厚さ方向に沿った基準方向と前記基準方向から１５°傾いた方向との間において、前記合成分布の最大値の９５％以上の範囲内にある発光装置である。
【０００８】
請求項５に記載の発明は、
透光性を有する基材と、
前記基材に取り付けられた発光装置と、
を備え、
前記発光装置は、
第１共振器を有する第１発光部と、
第２共振器を有する第２発光部と、
を備え、
前記第１発光部の第１配光分布と前記第２発光部の第１配光分布の合成分布は、前記第１発光部又は前記第２発光部の厚さ方向に沿った基準方向と前記基準方向から１５°傾いた方向との間において、前記合成分布の最大値の９５％以上の範囲内にある発光システムである。
【０００９】
請求項６に記載の発明は、
ボディと、
前記ボディに取り付けられ、透光性を有する基材と、
前記基材に取り付けられた発光装置と、
を備え、
前記発光装置は、
第１共振器を有する第１発光部と、
第２共振器を有する第２発光部と、
を備え、
前記第１発光部の第１配光分布と前記第２発光部の第１配光分布の合成分布は、前記第１発光部又は前記第２発光部の厚さ方向に沿った基準方向と前記基準方向から１５°傾いた方向との間において、前記合成分布の最大値の９５％以上の範囲内にある移動体である。
【図面の簡単な説明】
【００１０】
【図１】実施形態に係る発光装置の第１例を示す平面図である。
【図２】図１のＡ−Ａ断面図である。
【図３】図１及び図２に示した発光部の詳細を説明するための図である。
【図４】図３に示した発光部の動作の一例を説明するための図である。
【図５】式（１）の導出を説明するための図である。
【図６】図１及び図２に示した第１発光部の第１配光分布及び図１及び図２に示した第２発光部の第２配光分布を示すグラフである。
【図７】図６に示した第１配光分布と図６に示した第２配光分布の合成分布を示すグラフである。
【図８】図６及び図７の変形例を示す図である。
【図９】図１及び図２に示した第１発光部の有機層（第１有機層）及び図１及び図２に示した第２発光部の有機層（第２有機層）の詳細を説明するための図である。
【図１０】図２に示した第１発光部及び図２に示した第２発光部を駆動する方法の一例を説明するための図である。
【図１１】図２の変形例を示す図である。
【図１２】図１１に示した第１発光部及び図１１に示した第２発光部を駆動する方法の一例を説明するための図である。
【図１３】図１の第１の変形例を示す図である。
【図１４】図１の第２の変形例を示す図である。
【図１５】図１の第３の変形例を示す図である。
【図１６】発光装置の製造方法の一例を説明するための図である。
【図１７】図３の第１の変形例を示す図である。
【図１８】図３の第２の変形例を示す図である。
【図１９】図３の第３の変形例を示す図である。
【図２０】（ａ）は、図４に示した基準方向の第１例を説明するための図であり、（ｂ）は、図４に示した基準方向の第２例を説明するための図であり、（ｃ）は、図４に示した基準方向の第３例を説明するための図である。
【図２１】実施例１に係る発光装置を示す平面図である。
【図２２】図２１のＡ−Ａ断面図である。
【図２３】図２１のＢ−Ｂ断面図である。
【図２４】図２２の変形例を示す図である。
【図２５】実施例２に係る発光システムを示す図である。
【図２６】図２５のＡ−Ａ断面図である。
【図２７】図２６の第１の変形例を示す図である。
【図２８】図２６の第２の変形例を示す図である。
【図２９】図２６の第３の変形例を示す図である。
【図３０】実施例３に係る移動体を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光装置１０の第１例を示す平面図である。図２は、図１のＡ−Ａ断面図である。図３は、図１及び図２に示した発光部１７２の詳細を説明するための図である。図４は、図３に示した発光部１７２の動作の一例を説明するための図である。
【００１３】
図１に示すように、発光装置１０は、基板１００及び複数の発光部１７２（第１発光部１７２ａ及び第２発光部１７２ｂ）を備えている。図１に示す例において、第２発光部１７２ｂは、第１発光部１７２ａの外側にあり、具体的には、第１発光部１７２ａを囲んでいる。
【００１４】
図２に示すように、基板１００は、第１面１０２及び第２面１０４を有している。第２面１０４は、第１面１０２の反対側にある。図２に示す例において、第１発光部１７２ａ及び第２発光部１７２ｂは、基板１００の第１面１０２上に位置しており、言い換えると、共通の面（第１面１０２）上に位置している。さらに、図２に示す例では、基板１００は湾曲しておらず、このため、基板１００の第１面１０２は、平坦になっている。これにより、第１発光部１７２ａの厚さ方向は、第２発光部１７２ｂの厚さ方向と同じ方向になっており、言い換えると、第１面１０２及び第２面１０４に垂直な方向に沿った方向になっている。
【００１５】
図３及び図４を用いて、発光部１７２の概要について説明する。発光部１７２は、反射層１５２、半透過反射層１５４及び複数の層１５６を有している。複数の層１５６は、第１層１５６（１）から第ｋ層１５６（ｋ）までのｋ個の層（ｋは２以上の整数である。図３及び図４に示す例では、ｋ＝５である。）を含んでいる。これらの層１５６は、反射層１５２と半透過反射層１５４の間にある。発光部１７２の光は、発光層（ＥＭＬ）１２６から発せられて、基板１００の第２面１０４を介して外部に出射されている。発光部１７２の配光分布は、基準方向Ｒ（詳細は後述する。）から角度θ０傾いた方向に極大値を有している。具体的には、発光装置１０では、以下の式（１）によって定義される値ΔＭが、１以上の整数ｍと実質的に一致しており、例えば、ｍ−１／８以上ｍ＋１／８、好ましくはｍ−１／１６以上ｍ＋１／１６である。
【数１】
2018022575.tif 000003
λ：ＥＭＬ１２６からの光のピーク波長
ｄｉ：第ｉ層１５６（ｉ）（１≦ｉ≦ｋ）の厚さ
ｎｉ：第ｉ層１５６（ｉ）（１≦ｉ≦ｋ）の屈折率
ｎ０：発光装置１０からの光が伝搬する媒質の屈折率
θ０：上記した配光分布が極大値をとる方向の角度
φＳ：半透過反射層１５４における位相シフト量
φＲ：反射層１５２における位相シフト量
【００１６】
基準方向Ｒは、発光部１７２の配光分布の中心方向である。図４に示す例では、基準方向Ｒは、発光部１７２の厚さ方向（例えば、共振器１５０の各層（例えば、ＥＭＬ１２６）の厚さ方向）に沿った方向であり、基板１００の厚さ方向に沿った方向であり、又は第２面１０４の法線方向である。
【００１７】
図３及び図４を用いて、発光部１７２の詳細について説明する。発光装置１０は、基板１００、第１電極１１０、有機層１２０、第２電極１３０及び層１４０を備えている。基板１００は、第１面１０２及び第２面１０４を有している。第２面１０４は、第１面１０２の反対側にある。第１電極１１０は、基板１００の第１面１０２上にある。第２電極１３０は、第１電極１１０上にある。有機層１２０は、第１電極１１０と第２電極１３０の間にある。有機層１２０は、正孔注入層（ＨＩＬ）１２２、正孔輸送層（ＨＴＬ）１２４、発光層（ＥＭＬ）１２６及び電子輸送層（ＥＴＬ）１２８を含んでいる。なお、実施形態ではＥＭＬ１２６は１層のみであるが、発光層を複数有し、発光層と発光層との間に電荷発生層を有するマルチフォトン構造であってもよい。具体的には、第１電極１１０と第２電極１３０との間に発光層を２つ有するタンデム構造、３つ有するトリデム構造などがあげられる。
【００１８】
発光装置１０は、共振器１５０、すなわちマイクロキャビティを有している。共振器１５０は、反射層１５２、半透過反射層１５４及び第１層１５６（１）〜第５層１５６（５）を有している。共振器１５０は、第１電極１１０、有機層１２０、第２電極１３０及び層１４０によって構成されている。具体的には、第２電極１３０は、反射層１５２として機能している。層１４０は、半透過反射層１５４として機能している。第１電極１１０は、第１層１５６（１）として機能している。ＨＩＬ１２２、ＨＴＬ１２４、ＥＭＬ１２６及びＥＴＬ１２８は、それぞれ、第２層１５６（２）、第３層１５６（３）、第４層１５６（４）及び第５層１５６（５）として機能している。
【００１９】
基板１００は、透光性を有しており、具体的には、例えば、ガラス基板又は樹脂基板である。基板１００は、可撓性を有していてもよいし、又は可撓性を有していなくてもよい。基板１００の厚さは、例えば、１０μｍ以上１ｍｍ以下である。
【００２０】
第１電極１１０は、透光性を有しており、例えば金属酸化物、より具体的には、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ）からなる。
【００２１】
有機層１２０は、ＨＩＬ１２２、ＨＴＬ１２４、ＥＭＬ１２６及びＥＴＬ１２８を含んでいる。ただし、有機層１２０の層構造は、この例に限定されるものではない。一例として、有機層１２０は、第２電極１３０とＥＴＬ１２８の間に電子注入層（ＥＩＬ）を含んでいてもよい。この例においては、ＥＩＬは、第６層１５６（６）として機能する。他の例として、有機層１２０は、ＨＩＬ１２２及びＨＴＬ１２４の一方を含んでいなくてもよい。さらに、他の例として、有機層１２０は、正孔阻止層（ＨＢＬ）、電子阻止層（ＥＢＬ）、バッファ層、スペーサ層、光取出し向上層、密着層又はカラーフィルタ層を含んでいてもよい。
【００２２】
第２電極１３０は、反射層１５２として機能している。第２電極１３０は、光を反射する材料、例えば金属からなり、例えば、Ａｌ、Ａｇ、Ａｌ合金又はＡｇ合金からなる。第２電極１３０の厚さは、ある程度厚く、例えば７０ｎｍ以上２００ｎｍ以下である。これにより、第２電極１３０は、反射層１５２として機能する。
【００２３】
層１４０は、半透過反射層１５４として機能している。一例において、層１４０は、金属薄膜、具体的には例えばＡｇ薄膜、Ａｕ薄膜、Ａｇ合金薄膜又はＡｕ合金薄膜である。この例において、層１４０の厚さは、ある程度薄く、具体的には例えば第２電極１３０の厚さよりも薄く、より具体的には例えば５ｎｍ以上５０ｎｍ以下である。層１４０の膜厚がこのように薄い場合、層１４０に入射した光の一部が層１４０を透過することができる。これにより、層１４０は、半透過反射層１５４として機能する。その他の例において、層１４０は、交互に積層された高屈折率誘電体層及び低屈折率誘電体層を含む誘電体多層膜であってもよい。具体的には、各誘電体層は、例えばＭｇＦ２、ＡｌＦ３、ＴｉＯ２、Ｎｂ２Ｏ５、Ａｌ２Ｏ３及びＳｉＯ２のうちの少なくとも一つを含んでいる。この例においても、層１４０は、半透過反射層１５４として機能することができる。
【００２４】
図５は、式（１）の導出を説明するための図である。本図では、ｋ＝３であり、共振器１５０は、第１層１５６（１）、第２層１５６（２）及び第３層１５６（３）を有している。なお、本図では、説明のため、反射層１５２（図３及び図４）及び半透過反射層１５４（図３及び図４）を取り除いている。
【００２５】
本図に示す例では、第１層１５６（１）から屈折率ｎ０の媒質（具体的には、空気）に屈折角θ０で出射される光によって強め合いの干渉が生じている。これにより、この光の配光分布は、角度θ０の方向において極大値をとる。
【００２６】
具体的には、以下の式（２）によって定義される光路差Δｌ３が上記した光の波長λの整数倍となっている。
【数２】
2018022575.tif 000004
式（２）の右辺の第１項は、ＡＢ間の光路長、ＢＣ間の光路長、ＣＤ間の光路長、ＤＥ間の光路長、ＥＦ間の光路長及びＦＧ間の光路長の合計である。式（２）の右辺の第２項は、ＡＨ間の光路長である。ＡＨ間の光路長は、ＡＧ＝２ｄ１ｔａｎθ１＋２ｄ２ｔａｎθ２＋２ｄ３ｔａｎθ３、∠ＡＧＨ＝θ０及びＡＨ＝ＡＧｓｉｎθ０を用いて導出される。
【００２７】
式（１）の右辺の第１項は、式（２）の右辺を層１５６の層数ｋの場合に一般化し、かつスネルの法則ｎ０ｓｉｎθ０＝ｎｉｓｉｎθｉを用いることにより導出される。さらに、式（２）の右辺の第２項は、反射層１５２の位相シフト量及び半透過反射層１５４の位相シフト量を考慮することにより導出される。
【００２８】
式（１）において値ΔＭが整数である場合、屈折角θ０で出射された光によって強め合いの干渉が生じる。これにより、この光の配光分布は、角度θ０の方向において極大値をとる。ただし、値ΔＭは、特定の整数と厳密に一致している必要はない。値ΔＭは、整数ｍ（ｍ≧１）から例えば±１／８、望ましくは例えば±１／１６ずれていてもよい。
【００２９】
なお、一例において、位相シフト量φＳ及びφＲは、それぞれ、ｔａｎφＳ＝２ｎ１ｋＳ／（ｎ１２−ｎＳ２−ｋＳ２）及びｔａｎφＲ＝２ｎｋｋＲ／（ｎｋ２−ｎＲ２−ｋＲ２）に基づいて決定することができる（ｎＳ：半透過反射層１５４の屈折率、ｋＳ：半透過反射層１５４の消衰係数、ｎＲ：反射層１５２の屈折率、ｋＲ：反射層１５２の消衰係数）。その他の例において、位相シフト量φＳ及びφＲは、分光エリプソメトリによる測定結果に基づいて決定してもよい。
【００３０】
図６は、図１及び図２に示した第１発光部１７２ａの第１配光分布Ｄ１及び図１及び図２に示した第２発光部１７２ｂの第２配光分布Ｄ２を示すグラフである。本図において、第１配光分布Ｄ１は、第１方向Ａ１に極大値Ｌ１を有し、第２配光分布Ｄ２は、第２方向Ａ２に極大値Ｌ２を有している。より詳細には、第１配光分布Ｄ１は、第１方向Ａ１に第１光度Ｌ０１（極大値Ｌ１）を有し、第３方向ＡＨに第２光度ＬＨ１を有しており、第２配光分布Ｄ２は、第１方向Ａ１に第３光度Ｌ０２を有し、第３方向ＡＨに第４光度ＬＨ２を有している。本図において、第１方向Ａ１は、視野角０°の方向であり、第２方向Ａ２は、視野角３０°の方向であり、第３方向ＬＨは、第１方向Ａ１と第２方向Ａ２の真ん中の方向、すなわち視野角１５°の方向である。
【００３１】
第１配光分布Ｄ１の第１方向Ａ１は、基準方向Ｒ、すなわち第１発光部１７２ａの厚さ方向に沿った方向（第１基準方向）と同じになっている。図３及び図４を用いて説明したように、第１発光部１７２ａ（発光部１７２）は、マイクロキャビティを有しており、言い換えると、反射層１５２及び半透過反射層１５４を有しており、さらに言い換えると、第１発光部１７２ａについての式（１）のΔＭは、θ０＝０°として整数ｍと実質的に一致している。このため、第１配光分布Ｄ１の裾は、急峻なものになっている。
【００３２】
なお、第１発光部１７２ａは、マイクロキャビティを有していなくてもよく、例えば、半透過反射層１５４を有していなくてもよい。マイクロキャビティがない場合の第１発光部１７２ａの第１配光分布Ｄ１の裾は、マイクロキャビティがある場合の第１発光部１７２ａの第１配光分布Ｄ１（図６）の裾よりも緩やかになる。一方、マイクロキャビティがない場合の第１発光部１７２ａの第１配光分布Ｄ１は、マイクロキャビティがある場合の第１発光部１７２ａの第１配光分布Ｄ１（図６）と同様にして、基準方向Ｒ（すなわち第１発光部１７２ａの厚さ方向に沿った方向）に極大値Ｌ１を有している。
【００３３】
第２配光分布Ｄ２の第２方向Ａ２は、基準方向Ｒ、すなわち第２発光部１７２ｂの厚さ方向に沿った方向（第２基準方向）と異なっている。図３及び図４を用いて説明したように、第２発光部１７２ｂ（発光部１７２）は、マイクロキャビティを有しており、言い換えると、反射層１５２及び半透過反射層１５４を有しており、さらに言い換えると、第２発光部１７２ｂについての式（１）のΔＭは、θ０＝３０°として整数ｍと実質的に一致している。このため、第２配光分布Ｄ２の裾は、急峻なものになっている。
【００３４】
図６に示す例において、第２方向Ａ２は、第１方向Ａ１と異なっている。これにより、図１、図２及び図６に示す例では、一の方向（第１方向Ａ１）に極大値（極大値Ｌ１）を有する配光分布（第１配光分布Ｄ１）を示す発光領域（第１発光部１７２ａ）と、他の方向（第２方向Ａ２）に極大値（極大値Ｌ２）を有する配光分布（第２配光分布Ｄ２）を示す発光領域（第２発光部１７２ｂ）とが共通の面（第１面１０２）内で並んでいる。
【００３５】
なお、第１方向Ａ１及び第２方向Ａ２は、図６に示す例に限定されるものではない。第１方向Ａ１は、例えば、基準方向Ｒ（図６に示す例において、視野角０°の方向）と異なる方向であってもよい。
【００３６】
図６に示す例において、第２光度ＬＨ１と第４光度ＬＨ２の和は、第１光度Ｌ０１と第３光度Ｌ０２の和と実質的に等しく、具体的には、例えば、第１光度Ｌ０１と第３光度Ｌ０２の和の９５％以上１０５％以下（０．９５×（Ｌ０１＋Ｌ０２）≦ＬＨ１＋ＬＨ２≦１．０５×（Ｌ０１＋Ｌ０２））となっている。これにより、図７を用いて後述するように、第１配光分布Ｄ１と第２配光分布Ｄ２の合成分布ＤＣは、第１方向Ａ１と第３方向ＡＨとの間において、よりこのましくは第１方向Ａ１と第２方向Ａ２との間において、実質的に一定、具体的には、例えば、合成分布ＤＣの最大値の９５％以上の範囲内にある。
【００３７】
図６に示す例において、第１発光部１７２ａの面積Ｓ１及び第２発光部１７２ｂの面積Ｓ２は、Ｌ０１＝Ｓ１×Ｌ０１´、ＬＨ１＝Ｓ１×ＬＨ１´、Ｌ０２＝Ｓ２×Ｌ０２´及びＬＨ２＝Ｓ２×ＬＨ２´（Ｌ０１´：第１発光部１７２ａの第１方向Ａ１における輝度、ＬＨ１´：第１発光部１７２ａの第３方向ＡＨにおける輝度、Ｌ０２´：第２発光部１７２ｂの第１方向Ａ１における輝度、ＬＨ２´：第２発光部１７２ｂの第３方向ＡＨにおける輝度）が満たされるように決定されている。これにより、上記したように、光度ＬＨ１と光度ＬＨ２の和は、光度Ｌ０１と光度Ｌ０２の和と実質的に等しくなる。
【００３８】
図７は、図６に示した第１配光分布Ｄ１と図６に示した第２配光分布Ｄ２の合成分布ＤＣを示すグラフである。合成分布ＤＣは、基準方向Ｒ（図７に示す例では、視野角０°の方向）と基準方向Ｒからある程度大きい角度（具体的には、１５°、より具体的には２０°）傾いた方向との間において、実質的に一定、具体的には、例えば、合成分布ＤＣの最大値の９５％以上の範囲内にある。さらに、図７に示す例において、合成分布ＤＣの光度は、視野角おおよそ６０°の方向から視野角おおよそ２０°の方向にかけて急激に増加している。このように、図１、図２及び図７に示す例では、配光分布（合成分布ＤＣ）の裾（図７に示す例では、おおよそ、視野角２０°から視野角６０°まで）を急峻にしつつ、配光分布（合成分布ＤＣ）のピークを広い範囲（図７に示す例では、おおよそ視野角０°から視野角２０°まで）で維持している。
【００３９】
図８は、図６及び図７の変形例を示す図である。本図に示す例において、第２配光分布Ｄ２の極大値Ｌ２は、第１配光分布Ｄ１の極大値Ｌ１と実質的に等しく、具体的には、例えば、第１配光分布Ｄ１の極大値Ｌ１の９５％以上１０５％以下である。これにより、合成分布ＤＣは、第１方向Ａ１と第２方向Ａ２との間において、実質的に一定、具体的には、例えば、合成分布ＤＣの最大値の９０％以上の範囲内にある。
【００４０】
図９は、図１及び図２に示した第１発光部１７２ａの有機層１２０（第１有機層１２０ａ）及び図１及び図２に示した第２発光部１７２ｂの有機層１２０（第２有機層１２０ｂ）の詳細を説明するための図である。第１有機層１２０ａは、第１材料から第ｎ材料までの複数の材料を含み（ｎは２以上の整数である。）、本図に示す例において、第１有機層１２０ａの第１材料、第２材料、第３材料及び第４材料（ｎ＝４）は、それぞれ、ＨＩＬ１２２（第１ＨＩＬ１２２ａ）の材料、ＨＴＬ１２４（第１ＨＴＬ１２４ａ）の材料、ＥＭＬ１２６（第１ＥＭＬ１２６ａ）の材料及びＥＴＬ１２８（第１ＥＴＬ１２８ａ）の材料である。同様にして、第２有機層１２０ｂは、第１材料から第ｎ材料までの複数の材料を含み（ｎは２以上の整数である。）、本図に示す例において、第２有機層１２０ｂの第１材料、第２材料、第３材料及び第４材料（ｎ＝４）は、それぞれ、ＨＩＬ１２２（第２ＨＩＬ１２２ｂ）の材料、ＨＴＬ１２４（第２ＨＴＬ１２４ｂ）の材料、ＥＭＬ１２６（第２ＥＭＬ１２６ｂ）の材料及びＥＴＬ１２８（第２ＥＴＬ１２８ｂ）の材料である。
【００４１】
第２ＨＩＬ１２２ｂの材料、第２ＨＴＬ１２４ｂの材料、第２ＥＭＬ１２６ｂの材料及び第２ＥＴＬ１２８ｂの材料は、それぞれ、第１ＨＩＬ１２２ａの材料、第１ＨＴＬ１２４ａの材料、第１ＥＭＬ１２６ａの材料及び第１ＥＴＬ１２８ａの材料と同一である。第１ＨＩＬ１２２ａの材料、第１ＨＴＬ１２４ａの材料、第１ＥＭＬ１２６ａの材料及び第１ＥＴＬ１２８ａの材料は、第１有機層１２０ａの厚さ方向に沿って順に並んでいる。第２ＨＩＬ１２２ｂの材料、第２ＨＴＬ１２４ｂの材料、第２ＥＭＬ１２６ｂの材料及び第２ＥＴＬ１２８ｂの材料は、第２有機層１２０ｂの厚さ方向に沿って、第１ＨＩＬ１２２ａの材料、第１ＨＴＬ１２４ａの材料、第１ＥＭＬ１２６ａの材料及び第１ＥＴＬ１２８ａの材料と同じ順に並んでいる。
【００４２】
第１有機層１２０ａは、第１材料から第ｎ材料をそれぞれ含む第１層から第ｎ層を含み（ｎは２以上の整数である。）、本図に示す例において、第１有機層１２０ａの第１層、第２層、第３層及び第４層（ｎ＝４）は、それぞれ、第１ＨＩＬ１２２ａ、第１ＨＴＬ１２４ａ、第１ＥＭＬ１２６ａ及び第１ＥＴＬ１２８ａである。同様にして、第２有機層１２０ｂは、第１材料から第ｎ材料をそれぞれ含む第１層から第ｎ層を含み（ｎは２以上の整数である。）、本図に示す例において、第２有機層１２０ｂの第１層、第２層、第３層及び第４層（ｎ＝４）は、それぞれ、第２ＨＩＬ１２２ｂ、第２ＨＴＬ１２４ｂ、第２ＥＭＬ１２６ｂ及び第２ＥＴＬ１２８ｂである。
【００４３】
第１有機層１２０ａ及び第２有機層１２０ｂは、第１有機層１２０ａの第１層及び第２有機層１２０ｂの第１層の群から第１有機層１２０ａの第ｎ層及び第２有機層１２０ｂの第ｎ層の群をそれぞれ含む第１群から第ｎ群を含んでいる（ｎは２以上の整数である。）。本図に示す例において、第１群、第２群、第３群及び第４群（ｎ＝４）は、それぞれ、第１ＨＩＬ１２２ａ及び第２ＨＩＬ１２２ｂの群、第１ＨＴＬ１２４ａ及び第２ＨＴＬ１２４ｂの群、第１ＥＭＬ１２６ａ及び第２ＥＭＬ１２６ｂの群並びに第１ＥＴＬ１２８ａ及び第２ＥＴＬ１２８ｂの群である。
【００４４】
第１群から第ｎ群のうち少なくとも１群（調整群）において、第２有機層１２０ｂの層（第２ＨＩＬ１２２ｂ〜第２ＥＴＬ１２８ｂのいずれか）の厚さは、第１有機層１２０ａの層（第１ＨＩＬ１２２ａ〜第１ＥＴＬ１２８ａのいずれか）の厚さと異なっており、例えば、第１有機層１２０ａの層（第１ＨＩＬ１２２ａ〜第１ＥＴＬ１２８ａのいずれか）の厚さの９５％未満又は１０５％超である。第１群から第ｎ群のうち残りの群（非調整群）において、第２有機層１２０ｂの層（第２ＨＩＬ１２２ｂ〜第２ＥＴＬ１２８ｂのいずれか）の厚さは、第１有機層１２０ａの層（第１ＨＩＬ１２２ａ〜第１ＥＴＬ１２８ａのいずれか）の厚さと実質的に等しく、例えば、第１有機層１２０ａの層（第１ＨＩＬ１２２ａ〜第１ＥＴＬ１２８ａのいずれか）の厚さの９５％以上１０５％以下である。
【００４５】
なお、第２有機層１２０ｂの厚さは、第１有機層１２０ａの厚さ異なっていてもよく、例えば、第１有機層１２０ａの厚さの９５％未満又は１０５％超であってもよいし、又は第１有機層１２０ａの厚さと実質的に等しくてもよく、例えば、第１有機層１２０ａの厚さの９５％以上１０５％以下であってもよい。言い換えると、第１有機層１２０ａの各層（第１ＨＩＬ１２２ａ〜第１ＥＴＬ１２８ａのそれぞれ）の厚さ及び第２有機層１２０ｂの各層（第２ＨＩＬ１２２ｂ〜第２ＥＴＬ１２８ｂのそれぞれ）は、第２有機層１２０ｂの厚さが第１有機層１２０ａの厚さと異なるように決定されてもよいし、又は第２有機層１２０ｂの厚さが第１有機層１２０ａの厚さと等しくなるように決定されてもよい。
【００４６】
上記した式（１）から明らかなように、発光部１７２の配光分布は、有機層１２０の各層の厚さに依存する。本図に示す例では、第１有機層１２０ａの各層と第２有機層１２０ｂの各層に共通の材料が用いられ、一部の層の厚さが第１有機層１２０ａと第２有機層１２０ｂとで異なっている。このため、互いに異なる配光分布を有する複数の発光領域を簡易に形成することができる。
【００４７】
一例において、調整群の数は、１つのみであってもよく、例えば、調整群は、第１群から第ｎ群のうち基板１００に最も近い群である。この場合、一例において、第２ＨＩＬ１２２ｂ（第２部分層）の厚さは、第１ＨＩＬ１２２ａ（第１部分層）の厚さと異なっており、第２ＨＴＬ１２４ｂの厚さ、第２ＥＭＬ１２６ｂの厚さ及び第２ＥＴＬ１２８ｂの厚さは、それぞれ、第１ＨＴＬ１２４ａの厚さ、第１ＥＭＬ１２６ａの厚さ及び第１ＥＴＬ１２８ａの厚さと実質的に等しくなっている。
【００４８】
他の例において、調整群の数は、２以上であってもよく、例えば、２つの調整群が、第１ＥＭＬ１２６ａ及び第２ＥＭＬ１２６ｂの群を挟んで互いに反対側にあってもよく、より具体的には、この２つの調整群は、第１群から第ｎ群のうちの一端の群と他端の群であってもよい。一例において、第２ＨＩＬ１２２ｂ（第２部分層）の厚さ及び第２ＥＴＬ１２８ｂ（第４部分層）の厚さは、それぞれ、第１ＨＩＬ１２２ａ（第１部分層）の厚さ及び第１ＥＴＬ１２８ａ（第３部分層）の厚さと異なっており、第２ＨＴＬ１２４ｂの厚さ及び第２ＥＭＬ１２６ｂの厚さは、それぞれ、第１ＨＴＬ１２４ａの厚さ及び第１ＥＭＬ１２６ａの厚さと実質的に等しくなっている。
【００４９】
他の例において、非調整群は、第１ＥＭＬ１２６ａ及び第２ＥＭＬ１２６ｂの群のみであってもよい。この場合、一例において、第２ＥＭＬ１２６ｂの厚さは、第１ＥＭＬ１２６ａの厚さと実質的に等しくなっており、第２ＨＩＬ１２２ｂの厚さ、第２ＨＴＬ１２４ｂの厚さ及び第２ＥＴＬ１２８ｂの厚さは、それぞれ、第１ＨＩＬ１２２ａの厚さ、第１ＨＴＬ１２４ａの厚さ及び第１ＥＴＬ１２８ａの厚さと異なっている。
【００５０】
図１０は、図２に示した第１発光部１７２ａ及び図２に示した第２発光部１７２ｂを駆動する方法の一例を説明するための図である。本図に示す例において、第１発光部１７２ａと第２発光部１７２ｂは、共通の電源（電源１８０）によって駆動されている。具体的には、本図に示す例において、電源１８０は、基板１００の外側にある。第１有機層１２０ａ及び第２有機層１２０ｂには、第１電極１１０と第２電極１３０の間で電源１８０の電圧が印加されている。このように、第１有機層１２０ａ（第１発光部１７２ａ）と第２有機層１２０ｂ（第２発光部１７２ｂ）は、電源１８０に並列に接続されている。このため、第１発光部１７２ａと第２発光部１７２ｂを共通の電源（電源１８０）で駆動させることができる。
【００５１】
図１１は、図２の変形例を示す図である。本図に示す例において、発光装置１０は、複数の基板１００（第１基板１００ａ及び第２基板１００ｂ）を備えている。第１基板１００ａは、第１面１０２ａ及び第２面１０４ａを有している。第２面１０４ａは、第１面１０２ａの反対側にある。第２基板１００ｂは、第２面１０２ｂ及び第２面１０４ｂを有している。第２面１０４ｂは、第１面１０２ａの反対側にある。第２基板１００ｂは、第２面１０４ｂが第１面１０２ａと対向するように第１基板１００ａと重なっている。第１発光部１７２ａは、第１基板１００ａの第１面１０２ａ上に位置している。第２発光部１７２ｂは、第２基板１００ｂの第２面１０２ｂ上に位置している。第２発光部１７２ｂは、第１発光部１７２ａと重なっていない。これにより、本図に示す例では、第１発光部１７２ａの第１配光分布Ｄ１（例えば、図６）と第２発光部１７２ｂの第２配光分布Ｄ２（例えば、図６）を合成することができる。ただし、第１発光部１７２ａと第２発光部１７２ｂとが、「重なっていない」とはすべての部分が重なっていない必要はない。換言すれば一部は重なっていてもよい。これは第１発光部１７２ａと第２発光部１７２ｂの配光がそれぞれ異なるからである。図１１の例において、第１発光部１７２ａと第２発光部１７２ｂの発光方向が第１基板１００ａ側（すなわち図１１におていの上方向）だとすると、
第２基板１００ｂの発光部１７２ｂが１７２ａと重なっていたとしても、第２発光部１７２ｂの配光分布である第２配光分布Ｄ２が第１発光部１７２ａをさけるような配光分布であれば、発光装置１０としての配光分布として所望の設計になるからである。
【００５２】
より具体的には、本図に示す例において、第１基板１００ａは、透光部１７４を有している。透光部１７４は、第１発光部１７２ａと重なっていない。第２発光部１７２ｂは、第１発光部１７２ａと重なっている。これにより、第２発光部１７２ｂからの光は、透光部１７４を介して外部に出射されることができる。なお、第１基板１００ａと第２基板１００ｂとは、第１発光部１７２ａと第２発光部１７２ｂの配光分布を考慮して重ねるとよい。図１１の例において、第１発光部１７２ａと第２発光部１７２ｂの発光方向が第１基板１００ａ側（図１１におていの上方向）だとすると、垂直方向（あるいは基板厚み方向）への配光が強いもの（たとえば図６のＤ１とＤ２との比較でいえばＤ１）を下に、配光方向が広いもの、垂直方向から外れたところにピークがあるもの（同じく、たとえば図６のＤ１とＤ２との比較でいえばＤ２）は上側、つまり、光取出し側にするとよい。これは第１発光部１７２ａと第２発光部１７２ｂのそれぞれの発光をロスなく取り出すためである。また、アライメントにおいても有利である。それぞれ基板の位置合わせにおいて、上側から見たときに上側の基板の透光部１７２から下側にある基板の発光部が目視できればよいからである。配光方向が広いものが下側にあると、上側の透光部からみて下側の基板の発光部が目視できたとしても、下側の発光部の配光分布により、下側の発光部の発光が上側の発光部に反射したりしてロスしてしまうからである。
【００５３】
図１２は、図１１に示した第１発光部１７２ａ及び図１１に示した第２発光部１７２ｂを駆動する方法の一例を説明するための図である。本図に示す例において、第１発光部１７２ａと第２発光部１７２ｂは、共通の電源（電源１８０）によって駆動されている。具体的には、本図に示す例において、第１発光部１７２ａは、第１電極１１０ａ（第１電極１１０）、第１有機層１２０ａ（有機層１２０）及び第２電極１３０ａ（第２電極１３０）を有しており、第２発光部１７２ｂは、第１電極１１０ｂ（第１電極１１０）、第２有機層１２０ｂ（有機層１２０）及び第２電極１３０ｂ（第２電極１３０）を有している。本図に示す例において、電源１８０は、第１基板１００ａ及び第２基板１００ｂの外側にある。第１有機層１２０ａには、第１電極１１０ａと第２電極１３０ａの間で電源１８０の電圧が印加され、第２有機層１２０ｂには、第１電極１１０ｂと第２電極１３０ｂの間で電源１８０の電圧が印加されている。このように、第１有機層１２０ａ（第１発光部１７２ａ）と第２有機層１２０ｂ（第２発光部１７２ｂ）は、電源１８０に並列に接続されている。このため、第１発光部１７２ａと第２発光部１７２ｂを共通の電源（電源１８０）で駆動させることができる。
【００５４】
図１３は、図１の第１の変形例を示す図である。本図に示すように、２つの第１発光部１７２ａが第２発光部１７２ｂを挟んで互いに反対側に位置していてもよい。
【００５５】
図１４は、図１の第２の変形例を示す図である。本図に示すように、複数の第１発光部１７２ａ及び複数の第２発光部１７２ｂは、一方向（本図に示す例では、基板１００の長辺に沿った方向）に交互に並んでいてもよい。
【００５６】
図１５は、図１の第３の変形例を示す図である。本図に示すように、複数の第１発光部１７２ａ及び複数の第２発光部１７２ｂは、一方向（本図に示す例では、基板１００の長辺に沿った方向）及び他方向（本図に示す例では、基板１００の短辺に沿った方向）の双方において交互に並んでいてもよい。
【００５７】
図１６は、発光装置１０の製造方法の一例を説明するための図である。発光装置１０の製造方法の一例は、次のとおりである。
【００５８】
まず、基板１００の第１面１０２上に層１４０を形成する。次いで、層１４０上に第１電極１１０を形成する。次いで、層１４０上に絶縁層１６０を形成する。図１６に示すように、絶縁層１６０は、複数の開口１６２（第１開口１６２ａ及び第２開口１６２ｂ）を有している。
【００５９】
次いで、図１６に示すように、複数の開口１６２のそれぞれの内部にインクジェット印刷によりインク１２３を滴下する。第２開口１６２ｂ内の単位面積当たりのインク１２３の量は、第１開口１６２ａ内の単位面積当たりのインク１２３の量と異なっている。次いで、各インク１２３を乾燥させる。このようにして、第１開口１６２ａ内に第１ＨＩＬ１２２ａ（ＨＩＬ１２２）が形成され、第２開口１６２ｂ内に第２ＨＩＬ１２２ｂ（ＨＩＬ１２２）が形成される。この場合、インク１２３の量の差に起因して、第２ＨＩＬ１２２ｂの厚さは、第１ＨＩＬ１２２ａの厚さと異なるようになる。このようにして、本図に示す例では、簡易な方法によって、第２ＨＩＬ１２２ｂの厚さが第１ＨＩＬ１２２ａの厚さと異なるものとなる。
【００６０】
次いで、ＨＩＬ１２２上に、ＨＴＬ１２４、ＥＭＬ１２６及びＥＴＬ１２８を形成する。この場合、一例において、第２開口１６２ｂ内のＨＴＬ１２４の厚さ、ＥＭＬ１２６の厚さ及びＥＴＬ１２８の厚さは、それぞれ、第１開口１６２ａ内の第１ＨＴＬ１２４ａの厚さ、ＥＭＬ１２６の厚さ及びＥＴＬ１２８の厚さと実質的に等しくする。このようにして、有機層１２０が形成される。次いで、有機層１２０上に第２電極１３０を形成する。
【００６１】
このようにして、発光装置１０が製造される。
【００６２】
図１７は、図３の第１の変形例を示す図である。本図に示すように、第１電極１１０は、基板１００の第１面１０２と層１４０（半透過反射層１５４）の間にあってもよい。言い換えると、本図に示す例では、第１電極１１０は、共振器１５０を構成していない。本図に示す例において、反射層１５２と半透過反射層１５４の間には、有機層１２０（ＨＩＬ１２２、ＨＴＬ１２４、ＥＭＬ１２６及びＥＴＬ１２８）のみがある。ＨＩＬ１２２、ＨＴＬ１２４、ＥＭＬ１２６及びＥＴＬ１２８は、それぞれ、第１層１５６（１）、第２層１５６（２）、第３層１５６（３）及び第４層１５６（４）として機能している。
【００６３】
図１８は、図３の第２の変形例を示す図である。本図に示すように、第１電極１１０（図３）はなくてもよい。本図に示す例では、層１４０が電極として機能している。具体的には、層１４０は、導電性膜、例えば金属薄膜である。さらに、層１４０の厚さはある程度薄く、具体的には層１４０に入射した光の一部が層１４０を透過することができるような薄さである。これにより、層１４０は、電極として機能するとともに、半透過反射層１５４として機能する。
【００６４】
図１９は、図３の第３の変形例を示す図である。本図に示すように、第１電極１１０は、２つの層１４０（層１４２及び層１４４）の間にあってもよい。層１４２は、第１電極１１０と有機層１２０の間にある。層１４４は、基板１００の第１面１０２と第１電極１１０の間にある。層１４２は、半透過反射層１５４として機能している。層１４４は第１電極１１０の補助電極として機能していてもよい。この場合、層１４４は第１電極１１０と基板１００の上に一部分に形成されていてもよい。このため、本図に示す例では、第１電極１１０は、共振器１５０を構成していない。
【００６５】
図２０（ａ）は、図４に示した基準方向Ｒの第１例を説明するための図である。本図に示す例において、基板１００の第２面１０４は、平面である。本図に示す例において、基準方向Ｒは、基板１００の第２面１０４に対して垂直方向又は法線方向である。基板１００の第２面１０４が平面であるため、基準方向Ｒは、基板１００の第２面１０４のいずれの領域においても同じである。
【００６６】
図２０（ｂ）は、図４に示した基準方向Ｒの第２例を説明するための図である。本図に示す例において、基板１００の第２面１０４は、曲面であり、具体的には、外側に向かって凸に湾曲している。本図に示す例において、基準方向Ｒは、基板１００の第２面１０４の接線の垂直方向又は基板１００の第２面１０４の接平面の法線方向である。基板１００の第２面１０４が曲面であるため、基準方向Ｒは、基板１００の第２面１０４の領域によって異なっている。つまり、本図に示す例では、基準方向Ｒは、一つの方向に限定されない。
【００６７】
図２０（ｃ）は、図４に示した基準方向Ｒの第３例を説明するための図である。本図に示す例において、基板１００の第２面１０４は、曲面であり、具体的には、外側に向かって凹に湾曲している。本図に示す例において、基準方向Ｒは、基板１００の第２面１０４の接線の垂直方向又は基板１００の第２面１０４の接平面の法線方向である。基板１００の第２面１０４が曲面であるため、基準方向Ｒは、基板１００の第２面１０４の領域によって異なっている。つまり、本図に示す例では、基準方向Ｒは、一つの方向に限定されない。
【００６８】
以上、本実施形態によれば、第１発光部１７２ａの第１配光分布Ｄ１は、第１方向Ａ１に極大値Ｌ１を有し、第２発光部１７２ｂの第２配光分布Ｄ２は、第２方向Ａ２に極大値Ｌ２を有している。第２方向Ａ２は、第１方向Ａ１と異なっている。このようにして、本実施形態では、一の方向（第１方向Ａ１）に極大値（極大値Ｌ１）を有する配光分布（第１配光分布Ｄ１）を示す発光領域（第１発光部１７２ａ）と、他の方向（第２方向Ａ２）に極大値（極大値Ｌ２）を有する配光分布（第２配光分布Ｄ２）を示す発光領域（第２発光部１７２ｂ）とが共通の面（第１面１０２）内で並んでいる。
【実施例】
【００６９】
（実施例１）
図２１は、実施例１に係る発光装置１０を示す平面図である。図２２は、図２１のＡ−Ａ断面図である。図２３は、図２１のＢ−Ｂ断面図である。なお、図３は、本実施例に係る発光装置１０の一部を拡大した図に相当する。図２２に示す例では、説明のため、有機層１２０の各層（ＨＩＬ１２２、ＨＴＬ１２４、ＥＭＬ１２６及びＥＴＬ１２８）は図示していない。
【００７０】
発光装置１０は、基板１００、第１電極１１０、第１配線１１２、第１接続部１１４、有機層１２０、第２電極１３０、第２配線１３２、第２接続部１３４、層１４０及び絶縁層１６０を備えている。基板１００は、透光性を有している。第１電極１１０は、層１５６として機能している。有機層１２０は、層１５６として機能している。第２電極１３０は、反射層１５２として機能している。層１４０は、半透過反射層１５４として機能している。反射層１５２、半透過反射層１５４及び層１５６は、共振器１５０を構成している。
【００７１】
第１電極１１０、有機層１２０、第２電極１３０及び絶縁層１６０は、それぞれ、第１端部１１１ａ、第１端部１２１ａ、第１端部１３１ａ及び第１端部１６１ａを有し、さらに、それぞれ、第２端部１１１ｂ、第２端部１２１ｂ、第２端部１３１ｂ及び第２端部１６１ｂを有している。第２端部１１１ｂ、第２端部１２１ｂ、第２端部１３１ｂ及び第２端部１６１ｂは、それぞれ、第１端部１１１ａ、第１端部１２１ａ、第１端部１３１ａ及び第１端部１６１ａの反対側にある。
【００７２】
図２１に示すように、発光装置１０は、基板１００の第１面１０２上に発光素子１７０を有している。発光素子１７０は、複数の発光部１７２及び複数の透光部１７４を有している。複数の発光部１７２及び複数の透光部１７４は、交互に並んでいる。より具体的には、互いに隣接する発光部１７２は、一方の発光部１７２の第１端部１１１ａ、第１端部１２１ａ、第１端部１３１ａ及び第１端部１６１ａが透光部１７４を介して他方の発光部１７２の第２端部１１１ｂ、第２端部１２１ｂ、第２端部１３１ｂ及び第２端部１６１ｂにそれぞれ対向するように並んでいる。
【００７３】
さらに、本図に示す例では、図１４に示した例と同様にして、複数の第１発光部１７２ａ及び複数の第２発光部１７２ｂが交互に並んでいる。本実施例に係る第１発光部１７２ａは、実施形態に係る第１発光部１７２ａと同様であり、本実施例に係る第２発光部１７２ｂは、実施形態に係る第２発光部１７２ｂと同様である。このため、本実施例においても、第１発光部１７２ａの第１配光分布Ｄ１は、第１方向Ａ１に極大値Ｌ１を有し、第２発光部１７２ｂの第２配光分布Ｄ２は、第２方向Ａ２に極大値Ｌ２を有している。第２方向Ａ２は、第１方向Ａ１と異なっている。このようにして、本実施例では、一の方向（第１方向Ａ１）に極大値（極大値Ｌ１）を有する配光分布（第１配光分布Ｄ１）を示す発光領域（第１発光部１７２ａ）と、他の方向（第２方向Ａ２）に極大値（極大値Ｌ２）を有する配光分布（第２配光分布Ｄ２）を示す発光領域（第２発光部１７２ｂ）とが共通の面（第１面１０２）内で並んでいる。ただし、複数の第１発光部１７２ａ及び複数の第２発光部１７２ｂの位置はこれに限定されない。基板１００上で第１発光部１７２ａの位置する領域と第２発光部１７２ｂの位置する領域とが区別されていてもよい。また、発光素子において第１発光部１７２ａと第２発光部１７２ｂとの数（あるいは発光面積）が異なっていてもよい。さらに、基板１００の上に位置する透光部１７４の幅（図２１の上下方向）は位置あるいは領域ごとに異なっていてもよい。これは透光部１７４の幅、つまり非発光領域を調整することで第１発光部１７２ａ（第２発光部１７２ｂ）の単位面積当たりの発光面積を調整することができるためであり、これによって第１配光分布Ｄ１（第２配光分布Ｄ２）の配光を調節することができる。
【００７４】
発光部１７２は、絶縁層１６０の開口１６２内において、第１電極１１０、有機層１２０及び第２電極１３０によって構成されている。言い換えると、発光部１７２では、第１電極１１０、有機層１２０及び第２電極１３０が互いに重なっている。透光部１７４は、互いに隣接する発光部１７２のうちの一方の第２電極１３０の第１端部１３１ａと他方の第２電極１３０の第２端部１３１ｂの間の領域である。なお、図２１に示す例において、発光部１７２（絶縁層１６０の開口１６２）の形状は矩形である。
【００７５】
図２１に示す例において、発光素子１７０の形状は、一対の長辺及び一対の短辺を有する矩形として規定されている。具体的には、発光素子１７０の一対の長辺は、複数の発光部１７２のそれぞれの一対の短辺と重なっている。発光素子１７０の一方の短辺は、複数の発光部１７２の中の一端の発光部１７２のうちの外側の長辺と重なっている。発光素子１７０の他方の短辺は、複数の発光部１７２の中の他端の発光部１７２のうちの外側の長辺と重なっている。
【００７６】
第１配線１１２と第２配線１３２は、発光素子１７０を挟んで互いに反対側にある。第１配線１１２及び第２配線１３２は、発光素子１７０の長辺に沿って延伸している。第１配線１１２は、複数の第１接続部１１４のそれぞれを介して複数の第１電極１１０のそれぞれに接続している。第２配線１３２は、複数の第２接続部１３４のそれぞれを介して複数の第２電極１３０のそれぞれに接続している。このようにして、第１発光部１７２ａ及び第２発光部１７２ｂは、第１配線１１２と第２配線１３２の間で電気的に並列に接続している。このため、例えば、図１０に示したように、第１発光部１７２ａ及び第２発光部１７２ｂは、共通の電源（電源１８０）で駆動することができる。
【００７７】
図２２に示すように、第１電極１１０は、層１４０を介して基板１００の第１面１０２上にある。絶縁層１６０は、第１電極１１０の一部が絶縁層１６０の開口１６２から露出されるように基板１００の第１面１０２上に位置している。絶縁層１６０は、有機絶縁材料、具体的には例えばポリイミドからなる。有機層１２０は、有機層１２０の一部が開口１６２に埋め込まれるように第１電極１１０上及び絶縁層１６０上に位置している。第２電極１３０は、第２電極１３０の一部が開口１６２に埋め込まれるように有機層１２０上に位置している。このようにして、絶縁層１６０の開口１６２内では、第１電極１１０、有機層１２０及び第２電極１３０が互いに重なっており、発光部１７２を構成している。言い換えると、絶縁層１６０は、発光部１７２を画定している。なお、発光装置１０は、第１電極１１０の補助電極となる導電部を有していてもよい。この場合、導電部は、例えば、第１電極１１０と絶縁層１６０との間に形成されており、絶縁層１６０に覆われていることが好ましい。
【００７８】
第１電極１１０の第１端部１１１ａ及び第２端部１１１ｂは、絶縁層１６０の第１端部１６１ａ及び第２端部１６１ｂよりもそれぞれ内側にある。このため、第１電極１１０の第１端部１１１ａ及び第２端部１１１ｂは、絶縁層１６０から露出していない。これにより、第１電極１１０が第２電極１３０と短絡することが抑制される。
【００７９】
本図に示す例において、有機層１２０の第１端部１２１ａ及び第２端部１２１ｂは、絶縁層１６０の第１端部１６１ａ及び第２端部１６１ｂよりもそれぞれ内側にある。言い換えると、有機層１２０の幅がある程度短い。このため、有機層１２０のうち発光部１７２の外側の部分の幅を狭くすることができる。すなわち、発光部１７２の一部として機能していない部分の幅を狭くすることができる。
【００８０】
本図に示す例において、第２電極１３０の第１端部１３１ａ及び第２端部１３１ｂは、絶縁層１６０の第１端部１６１ａ及び第２端部１６１ｂよりもそれぞれ内側にあり、さらに、有機層１２０の第１端部１２１ａ及び第２端部１２１ｂよりもそれぞれ内側にある。このようにして、本図に示す例では、発光部１７２の外側の部分、すなわち透光部１７４の幅が広くなっている。
【００８１】
図２２に示す例において、基板１００の第１面１０２は、第１領域１０１ａ、第２領域１０１ｂ及び第３領域１０１ｃを有している。第１領域１０１ａは、第２電極１３０の第１端部１３１ａから第２端部１３１ｂまでの領域である。第２領域１０１ｂは、第２電極１３０の第１端部１３１ａから絶縁層１６０の第１端部１６１ａまでの領域及び第２電極１３０の第２端部１３１ｂから絶縁層１６０の第２端部１６１ｂまでの領域である。第３領域１０１ｃは、互いに隣接する発光部１７２のうちの一方の絶縁層１６０の第１端部１６１ａから他方の絶縁層１６０の第２端部１６１ｂまでの間の領域である。
【００８２】
図２２に示す例において、一方の発光部１７２から他方の発光部１７２に向かう方向において、第２電極１３０の第１端部１３１ａと絶縁層１６０の第１端部１６１ａの間の距離（すなわち、第２領域１０１ｂの幅ｄ２）は、一方の発光部１７２の絶縁層１６０の第１端部１６１ａと他方の発光部１７２の絶縁層１６０の第２端部１６１ｂの間の距離（すなわち、第３領域１０１ｃの幅ｄ３）よりも短い。さらに、他方の発光部１７２から一方の発光部１７２に向かう方向において、第２電極１３０の第２端部１３１ｂと絶縁層１６０の第２端部１６１ｂの間の距離（すなわち、第２領域１０１ｂの幅ｄ２）は、他方の発光部１７２の絶縁層１６０の第２端部１６１ｂと一方の発光部１７２の絶縁層１６０の第１端部１６１ａの間の距離（すなわち、第３領域１０１ｃの幅ｄ３）よりも短い。これにより、発光装置１０の光線透過率が高くなっている。
【００８３】
詳細には、第２領域１０１ｂの光線透過率は、第３領域１０１ｃの光線透過率よりも低い。これは、第２領域１０１ｂ上には絶縁層１６０が位置しているのに対し、第３領域１０１ｃ上には絶縁層１６０が位置していないためである。上記したように、第２領域１０１ｂの幅ｄ２は、第３領域１０１ｃの幅ｄ３よりも狭い。このため、発光装置１０の光線透過率が高くなっている。
また、第１領域１０１ａの幅ｄ１と第３領域１０１ｃの幅ｄ３とは、どちらが大きくても構わない。第1領域１０１ａを大きくすれば、発光素子１７０の全体での発光強度が上昇し、第３領域１０１ｃを大きくすれば、発光素子１７０の全体の透過率を上げることができるからである。ただし、本発明では、少なくとも第２発光部１７２ｂがマイクロキャビティ構造により発光強度を高めているので、透過率の観点から第３領域１０１ｃを第１領域１０１ａより大きくしても、発光強度の減少を防ぐ（さらには向上させる）ことができる。
【００８４】
さらに、図２２に示す例では、発光装置１０が特定の波長の光を遮断するフィルタとして機能することが抑制される。詳細には、絶縁層１６０の光線透過率が波長によって異なっていることがある。このため、絶縁層１６０は、特定の波長の光を遮断するフィルタとして機能し得る。本図に示す例では、上記したように、第２領域１０１ｂ（絶縁層１６０と重なる領域）の幅ｄ２は狭く、具体的には第３領域１０１ｃの幅ｄ３よりも狭い。このため、発光装置１０が特定の波長の光を遮断するフィルタとして機能することが抑制される。
【００８５】
図２２に示す例において、第２領域１０１ｂの幅ｄ２は、第１領域１０１ａの幅ｄ１の例えば０倍以上０．２倍以下（０≦ｄ２／ｄ１≦０．２）である。第３領域１０１ｃの幅ｄ３は、第１領域１０１ａの幅ｄ１の例えば０．３倍以上２倍以下（０．３≦ｄ３／ｄ１≦２）である。第１領域１０１ａの幅ｄ１は、例えば５０μｍ以上５００μｍ以下である。第２領域１０１ｂの幅ｄ２は、例えば０μｍ以上１００μｍ以下である。第３領域１０１ｃの幅ｄ３は、１５μｍ以上１０００μｍ以下である。
【００８６】
本実施例においては、発光素子１７０、より具体的には発光部１７２からの光は、基板１００の第１面１０２側の領域へはほとんど出射されず、基板１００の第２面１０４側の領域へ出射される。これは、有機層１２０、具体的には、ＥＭＬ１２６（例えば、図３及び図４）からの光が第２電極１３０（反射層１５２）によって反射されるためである。
【００８７】
さらに、本実施例においては、人間の視覚では、発光素子１７０の全面に亘って光が発せられているように見える。これは、複数の発光素子１７０が狭いピッチで配置されているためである。
【００８８】
さらに、本実施例においては、人間の視覚では、発光装置１０を介して物体が透けて見える。言い換えると、発光装置１０は、半透過ＯＬＥＤとして機能している。これは、第２電極１３０（反射層１５２）の幅がある程度狭く、かつ互いに隣接する第２電極１３０（反射層１５２）の間に透光部１７４があるためである。具体的には、発光素子１７０から光が発せられていない場合、人間の視覚では、第２面１０４側からは第１面１０２側の物体が透けて見える。さらに、発光素子１７０から光が発せられている場合及び発光素子１７０から光が発せられていない場合のいずれにおいても、人間の視覚では、第１面１０２側から第２面１０４側の物体が透けて見える。
【００８９】
図２４は、図２２の変形例を示す図である。本図に示すように、有機層１２０の第１端部１２１ａ及び第２端部１２１ｂは、絶縁層１６０の第１端部１６１ａ及び第２端部１６１ｂよりもそれぞれ外側にあってもよい。
【００９０】
（実施例２）
図２５は、実施例２に係る発光システム２０を示す図である。図２６は、図２５のＡ−Ａ断面図である。発光システム２０は、発光装置１０、基材２００及び枠体２５０を備えている。
【００９１】
本実施例に係る発光装置１０は、実施例１に係る発光装置１０と同様である。発光装置１０は、基材２００上に搭載されている。具体的には、基材２００は、第１面２０２及び第２面２０４を有している。第２面２０４は、第１面２０２の反対側にある。発光装置１０は、基板１００の第２面１０４が基材２００の第１面２０２と対向するように基材２００の第１面２０２上に搭載されている。なお、図２５〜図２６では、説明のため、第１電極１１０、有機層１２０、第２電極１３０、層１４０及び絶縁層１６０（例えば、図２２）を図示していない。
【００９２】
基材２００は、透光性を有している。このため、発光部１７２からの光は、基材２００を透過することができ、具体的には、基材２００の第１面２０２から基材２００に入射し、基材２００の第２面２０４を介して基材２００の外側へ出射される。
【００９３】
基材２００は、枠体２５０によって保持されている。一例において、基材２００は、窓又はその一部分として機能している。より具体的には、一例において、基材２００は、移動体（例えば、自動車、列車、船舶又は飛行機）のウインドウ、より具体的には自動車のリアウインドウとして機能している。その他の例において、基材２００は、物体（例えば、商品）を収容するための筐体（例えば、ショーケース）の窓又はその一部として機能しており、又は建物（例えば、家屋又は店舗）の窓又はその一部分として機能している。基材２００が窓として機能している場合、基材２００は、ある程度頑丈である必要がある。このため、基材２００の厚さは、基板１００の厚さよりも相当に厚く、例えば、２ｍｍ以上５０ｍｍ以下である。
【００９４】
基材２００は、半透過発光領域２４０を有している。半透過発光領域２４０は、複数の発光領域２４２及び複数の透光領域２４４を有している。半透過発光領域２４０は、発光装置１０の発光素子１７０と重なっている。発光領域２４２は、発光装置１０の発光部１７２と重なっている。透光領域２４４は、発光装置１０の透光部１７４と重なっている。言い換えると、透光領域２４４は、発光装置１０の発光部１７２と重なっていない。このようにして、複数の発光領域２４２及び複数の透光領域２４４は、複数の発光部１７２及び複数の透光部１７４と同様にして、交互に並んでいる。
【００９５】
さらに、本図に示す例では、図１４に示した例と同様にして、複数の第１発光部１７２ａ及び複数の第２発光部１７２ｂが交互に並んでいる。本実施例に係る第１発光部１７２ａは、実施形態に係る第１発光部１７２ａと同様であり、本実施例に係る第２発光部１７２ｂは、実施形態に係る第２発光部１７２ｂと同様である。このため、本実施例においても、第１発光部１７２ａの第１配光分布Ｄ１は、第１方向Ａ１に極大値Ｌ１を有し、第２発光部１７２ｂの第２配光分布Ｄ２は、第２方向Ａ２に極大値Ｌ２を有している。第２方向Ａ２は、第１方向Ａ１と異なっている。このようにして、本実施例では、一の方向（第１方向Ａ１）に極大値（極大値Ｌ１）を有する配光分布（第１配光分布Ｄ１）を示す発光領域（第１発光部１７２ａ）と、他の方向（第２方向Ａ２）に極大値（極大値Ｌ２）を有する配光分布（第２配光分布Ｄ２）を示す発光領域（第２発光部１７２ｂ）とが共通の面（第１面１０２）内で並んでいる。
【００９６】
実施例１と同様にして、人間の視覚では、半透過発光領域２４０（発光素子１７０）の全面に亘って光が発せられているように見える。さらに、人間の視覚では、半透過発光領域２４０を介して物体が透けて見える。言い換えると、半透過発光領域２４０は、半透過ＯＬＥＤとして機能している。具体的には、半透過発光領域２４０（発光素子１７０）から光が発せられていない場合、人間の視覚では、第２面２０４側からは第１面２０２側の物体が透けて見える。さらに、半透過発光領域２４０（発光素子１７０）から光が発せられている場合及び半透過発光領域２４０（発光素子１７０）から光が発生られていない場合のいずれにおいても、人間の視覚では、第１面２０２側から第２面２０４側の物体が透けて見える。また、基材２００が移動体に形成される場合は乗客、特に運転・操舵・操縦者から移動体外への視認性を、基材２００が店舗用の窓であれば店舗の店員の店外への視認性を妨げることなく発光システム２０を設置することができる。
【００９７】
図２７は、図２６の第１の変形例を示す図である。本図に示すように、発光装置１０は、基材２００の第２面２０４上に搭載されていてもよい。より具体的には、本図に示す例では、発光装置１０は、基板１００の第１面１０２が発光素子１７０を介して基材２００の第２面２０４と対向するように基材２００の第２面２０４上に搭載されている。
【００９８】
図２８は、図２６の第２の変形例を示す図である。本図に示すように、発光装置１０は、基材２００の内部にあってもよい。具体的には、本図に示す例では、基材２００は、第１基材２１０、第２基材２２０及び中間層２３０を有している。第１基材２１０及び第２基材２２０は、例えば、ガラス板である。中間層２３０は、例えば樹脂層である。これにより、基材２００は、合わせガラスとして機能することができる。
【００９９】
第１基材２１０は、面２１２及び面２１４を有している。面２１２は、第１基材２１０の第１面２０２として機能している。面２１４は、面２１２の反対側にある。第２基材２２０は、面２２２及び面２２４を有している。面２２４は、面２２２の反対側にあり、第２面２０４として機能している。第１基材２１０の面２１４と第２基材２２０の面２２２は、発光装置１０及び中間層２３０を介して互いに対向している。より具体的には、発光装置１０は、基板１００の第１面１０２が第２基材２２０の面２２２と対向するように第２基材２２０の面２２２上に搭載されている。基板１００の第１面１０２及び発光素子１７０は、中間層２３０によって覆われている。
【０１００】
図２９は、図２６の第３の変形例を示す図である。本図に示すように、発光素子１７０は、基材２００の第１面２０２上に直接形成されていてもよい。言い換えると、本図に示す例において、発光装置１０は、基板１００（図２６）を有していない。さらに言い換えると、本図に示す例では、基材２００が基板１００として機能している。
（実施例３）
図３０は、実施例３に係る移動体２２を示す図である。本図に示す例において、移動体２２は、ボディ２６０及び発光システム２０を備えている。発光システム２０は、ボディ２６０に保持されている。本図に示す例において、移動体２２は、自動車であり、ボディ２６０は、車体である。移動体２２は、路面ＲＳ上を移動している。なお、移動体２２は、列車、船舶又は飛行機であってもよい。移動体２２が列車である場合、ボディ２６０は車体である。移動体２２が船舶である場合、ボディ２６０は船体である。移動体２２が飛行機である場合、ボディ２６０は胴体である。
【０１０１】
移動体２２は、ボディ２６０を備えている。ボディ２６０の一部は、枠体２５０として機能している。本図に示す例において、基材２００は、枠体２５０によって支持されており、リアウインドウとして機能している。より具体的には、基材２００は、第２面２０４が路面ＲＳ（言い換えると、移動体２２の移動方向）に対して斜め上を向くように、枠体２５０によって支持されている。
【０１０２】
本実施例に係る発光システム２０は、実施例２に係る発光システム２０と同様である。このため、本図に示す例では、図１４に示した例と同様にして、複数の第１発光部１７２ａ及び複数の第２発光部１７２ｂが交互に並んでいる。本実施例に係る第１発光部１７２ａは、実施形態に係る第１発光部１７２ａと同様であり、本実施例に係る第２発光部１７２ｂは、実施形態に係る第２発光部１７２ｂと同様である。このため、本実施例においても、第１発光部１７２ａの第１配光分布Ｄ１は、第１方向Ａ１に極大値Ｌ１を有し、第２発光部１７２ｂの第２配光分布Ｄ２は、第２方向Ａ２に極大値Ｌ２を有している。第２方向Ａ２は、第１方向Ａ１と異なっている。このようにして、本実施例では、一の方向（第１方向Ａ１）に極大値（極大値Ｌ１）を有する配光分布（第１配光分布Ｄ１）を示す発光領域（第１発光部１７２ａ）と、他の方向（第２方向Ａ２）に極大値（極大値Ｌ２）を有する配光分布（第２配光分布Ｄ２）を示す発光領域（第２発光部１７２ｂ）とが共通の面（第１面１０２）内で並んでいる。
【０１０３】
本図に示す例において、発光部１７２（発光領域２４２）は、日本国道路運送車両の保安基準第３９条の２に定める「補助制動灯」（言い換えると、ハイマウントストップランプ（ＨＭＳＬ）又はブレーキランプ）の一部を構成している。発光部１７２（具体的には、発光部１７２の中心）は、路面ＲＳから例えば１ｍ以上１ｍ２０ｃｍ以下の高さｈＬにある。
【０１０４】
以上、図面を参照して実施形態及び実施例について述べたが、これらは本発明の例示であり、上記以外の様々な構成を採用することもできる。
【符号の説明】
【０１０５】
１０  発光装置
２０  発光システム
２２  移動体
１００  基板
１００ａ  第１基板
１００ｂ  第２基板
１０１ａ  第１領域
１０１ｂ  第２領域
１０１ｃ  第３領域
１０２  第１面
１０２ａ  第１面
１０２ｂ  第２面
１０４  第２面
１０４ａ  第２面
１０４ｂ  第２面
１１０  第１電極
１１０ａ  第１電極
１１０ｂ  第１電極
１１１ａ  第１端部
１１１ｂ  第２端部
１１２  第１配線
１１４  第１接続部
１２０  有機層
１２０ａ  第１有機層
１２０ｂ  第２有機層
１２１ａ  第１端部
１２１ｂ  第２端部
１２２  ＨＩＬ
１２３  インク
１２４  ＨＴＬ
１２６  ＥＭＬ
１２８  ＥＴＬ
１３０  第２電極
１３０ａ  第２電極
１３０ｂ  第２電極
１３１ａ  第１端部
１３１ｂ  第２端部
１３２  第２配線
１３４  第２接続部
１４０  層
１４２  層
１４４  層
１５０  共振器
１５２  反射層
１５４  半透過反射層
１５６  層
１６０  絶縁層
１６１ａ  第１端部
１６１ｂ  第２端部
１６２  開口
１６２ａ  第１開口
１６２ｂ  第２開口
１７０  発光素子
１７２  発光部
１７２ａ  第１発光部
１７２ｂ  第２発光部
１７４  透光部
１８０  電源
２００  基材
２０２  第１面
２０４  第２面
２１０  第１基材
２１２  面
２１４  面
２２０  第２基材
２２２  面
２２４  面
２３０  中間層
２４０  半透過発光領域
２４２  発光領域
２４４  透光領域
２５０  枠体
２６０  ボディ
【図１】
2018022575.tif 000005
【図２】
2018022575.tif 000006
【図３】
2018022575.tif 000007
【図４】
2018022575.tif 000008
【図５】
2018022575.tif 000009
【図６】
2018022575.tif 000010
【図７】
2018022575.tif 000011
【図８】
2018022575.tif 000012
【図９】
2018022575.tif 000013
【図１０】
2018022575.tif 000014
【図１１】
2018022575.tif 000015
【図１２】
2018022575.tif 000016
【図１３】
2018022575.tif 000017
【図１４】
2018022575.tif 000018
【図１５】
2018022575.tif 000019
【図１６】
2018022575.tif 000020
【図１７】
2018022575.tif 000021
【図１８】
2018022575.tif 000022
【図１９】
2018022575.tif 000023
【図２０】
2018022575.tif 000024
【図２１】
2018022575.tif 000025
【図２２】
2018022575.tif 000026
【図２３】
2018022575.tif 000027
【図２４】
2018022575.tif 000028
【図２５】
2018022575.tif 000029
【図２６】
2018022575.tif 000030
【図２７】
2018022575.tif 000031
【図２８】
2018022575.tif 000032
【図２９】
2018022575.tif 000033
【図３０】
2018022575.tif 000034